(57)【要約】      （修正有）【課題】二重床内の配線や配線器具類等二重床設置物の探知装置及びその探知方法を提供する。【解決手段】共振手段１０と探知手段２０とにより二重床内設置物の位置を探知する二重床内設置物の探知装置において、仕上げ材Ｔが敷設された二重床内に設置される配線や配線器具類の近傍に設けられる共振手段１０と、アンテナ部３０と、探知ユニット部４０と、探知操作部５０とから成る略モップ形状探知手段２０とを有し、アンテナ部３０は、仕上げ材Ｔのサイズに基づいて設定されたサイズ（長さ）Ｗに設定され、略モップ形状探知手段２０の探知操作部５０により、アンテナ部３０を仕上げ材Ｔの上面に沿って該仕上げ材のサイズを基準とする所定床面領域で走行させるように操作し、共振手段１０とアンテナ部３０及び探知ユニット部４０により、その共振動作状態の検知に基づいて前記配線や配線器具類の位置を探知する。【選択図】図１
2005121446.tif 000002
【特許請求の範囲】
【請求項１】
共振手段１０と探知手段２０とにより二重床内設置物の位置を探知する二重床内設置物の探知装置において、
仕上げ材Ｔが敷設された二重床内に設置される配線や配線器具類の少なくとも近傍に設けられる共振手段１０と、
アンテナ部３０と、探知ユニット部４０と、探知操作部５０とから成る略モップ形状探知手段２０と
を有し、
前記アンテナ部３０は、前記仕上げ材Ｔのサイズに基づいて設定されたサイズ（長さ）Ｗに設定され、前記略モップ形状探知手段２０の前記探知操作部５０により、前記アンテナ部３０を前記仕上げ材Ｔの上面に沿って該仕上げ材のサイズを基準とする所定床面領域で走行させるように操作し、前記共振手段１０と前記アンテナ部３０及び前記探知ユニット部４０とにより前記仕上げ材Ｔのサイズに基づいて探知領域を認知可能とすると共に、その共振動作状態の検知に基づいて前記配線や配線器具類の位置を探知することを特徴とする二重床設置物の探知装置。
【請求項２】
共振手段１０と探知手段２０とにより二重床内設置物の位置を探知する二重床内設置物の探知装置において、
仕上げ材Ｔが敷設された二重床内に設置される配線や配線器具類の少なくとも近傍に設置される共振手段１０と、
アンテナ部３０と、探知ユニット部４０と、探知操作部５０とから成る略モップ形状探知手段２０と
を有し、
前記探知ユニット部４０を、前記アンテナ部３０と該探知ユニット部４０との接続を最短接続するように前記アンテナ部３０上面の略中央部近傍に設け、前記略モップ形状探知手段２０の前記探知操作部５０により前記アンテナ部３０を前記仕上げ材Ｔの上面に沿って走行させるように操作し、その共振動作状態の検知に基づいて前記配線や配線器具類の位置を探知することを特徴とする二重床設置物の探知装置。
【請求項３】
共振手段１０と探知手段２０とにより二重床内設置物の位置を探知する二重床内設置物の探知装置において、
仕上げ材Ｔが敷設された二重床内に設置される配線や配線器具類の少なくとも近傍に設置される共振手段１０と、
第１アンテナ部３０と、第２アンテナ部３５を備えた探知ユニット部４５と、該探知ユニット部４５を着脱自在に納置するホルダー４２と、探知操作部５０とから成る略モップ形状探知手段２０と
を有し、
前記ホルダー４２は、前記第１アンテナ部３０と前記探知ユニット部４５との相互の接続が可能であって、該探知ユニット部４５を前記探知操作部５０のグリップ部近傍などの所定位置に着脱自在に納置可能とし、
前記探知ユニット部４５が、前記ホルダー４２に納置されている時には、前記探知操作部５０により、前記第１アンテナ部３０を前記仕上げ材Ｔの上面に沿って走行させるように操作可能とすると共に、
前記納置されていない時には、前記探知ユニット部４５単独により前記第２アンテナ部３５を前記仕上げ材Ｔの上面に沿って走行させるように手動操作可能とし、
前記共振手段１０の共振動作状態の検知に基づいて前記配線や配線器具類の位置を探知することを特徴とする二重床設置物の探知装置。
【請求項４】
共振手段１０と探知手段２０とにより二重床内設置物の位置を探知する二重床内設置物の探知装置において、
仕上げ材Ｔが敷設された二重床内に設置された配線や配線器具類の少なくとも近傍に設置される共振手段１０と、
アンテナ部３０と、探知ユニット部４０と、探知操作部５０とから成る略モップ形状探知手段２０と
を有し、
前記共振手段１０は二重床の所望位置に設置可能であって、共振可能な領域を少なくとも縦横の２方向に亘って拡大できるように断面略L字形状或いは略コ字形状に構成され、
前記探知ユニット部４０を、前記アンテナ部３０又は前記探知操作部５０に設け、前記略モップ形状探知手段２０の前記探知操作部５０により、前記アンテナ部３０を前記仕上げ材Ｔの上面に沿って走行させるように操作し、前記共振手段１０との共振動作状態の検知に基づいて、前記配線や配線器具類の位置を探知することを特徴とする二重床設置物の探知装置。
【請求項５】
請求項１〜４のいずれかに記載の二重床設置物の探知装置において、
前記アンテナ部３０又は前記第１アンテナ部３０は狭幅の略薄板長方形状に形成され、アンテナ素子３０ｂを上下に樹脂製薄板３０ａ、３０ｃで挟持した少なくとも３層を形成するように構成した二重床設置物の探知装置。
【請求項６】
請求項１〜５のいずれかに記載の二重床設置物の探知装置において、
前記アンテナ部３０又は前記第１アンテナ部３０は、その底面には、仕上げ材Ｔの上面の滑りを向上させるために略凸状の突起部３０ｄを多数設けた二重床設置物の探知装置。
【請求項７】
請求項２〜４のいずれかに記載の二重床設置物の探知装置において、
前記アンテナ部３０又は前記第１アンテナ部３０は、二重床上面に敷設される仕上げ材Ｔのサイズに対応するサイズに設定された長さＷを有する二重床設置物の探知装置。
【請求項８】
請求項１記載の二重床設置物の探知装置において、
前記探知ユニット部４０は、前記アンテナ部３０又は前記探知操作部５０に設けられた二重床設置物の探知装置。
【請求項９】
請求項１〜３のいずれか又は請求項８に記載の二重床設置物の探知装置において、
前記共振手段１０は、二重床の所望位置に設置可能であって、共振可能な領域を少なくとも縦横の２方向に亘って拡大できるように断面略L字形状或いは略コ字形状に形成された二重床設置物の探知装置。
【請求項１０】
共振手段１０と探知手段２０とにより二重床内設置物の位置を探知する二重床内設置物の探知方法において、
仕上げ材Ｔが敷設された二重床内の所定位置に被探知物として設置された配線・配線器具類の少なくとも近傍に該配線・配線器具類の位置を検出するために略薄板状の共振手段１０を設置する第１のステップと、
所定の探知ユニット部４０により、所定のアンテナ部３０を介して前記共振手段１０へ共振動作させるために所定の励振信号、共振受信信号を送受信するための所定の探知ユニット部４０が、前記アンテナ部３０又は所定の探知操作部５０に設けられ、該探知操作部５０により、仕上げ材Ｔの上面に沿って任意に、且つ、自在に走行可能となるように操作し、前記被探知物を検出するための所定の探知動作を行う第２のステップと、
前記探知動作時に、前記探知ユニット部４０により、前記アンテナ部３０を介して前記共振手段１０から受信して得られた共振受信信号に基づいて前記共振手段１０の設置位置を特定し、該特定位置が特定されたことを報知する第３のステップと
から成ることを特徴とする二重床設置物の探知方法。
【発明の詳細な説明】
【技術分野】
【０００１】
本発明は、例えば床内、ＯＡフロア等における二重床内、フリーアクセスフロア内に設置される配線類、コンセント等の配線器具類の設置位置を、仕上げ材が敷設された上方から探知する二重床設置物の探知装置及びその探知方法に関する。
【背景技術】
【０００２】
地中等に埋設された水道施設等の金属物体を探知する金属探知装置が古くから広く知られている。
【０００３】
この種の技術には、例えば、実用新案登録第２６０５２７６号（特許文献１）が存在する。この構成は、送受信コイル６，７とコンデンサ１１とで成る共振回路を形成するアンテナ部２と、このアンテナ部２に接続され電源供給する電源・出力部３とから成り、地面とアンテナ部との距離を変化させても送受信コイルの静電容量を変化させないようにし、これによって、地中に埋設されている水道施設等の金属物体Ａを探知したとの誤認動作防止をしつつ探知することが可能な探知装置に関する。
【０００４】
また、埋設物体として配管等の線状導電体を示すものであって、同様な埋設管の埋設位置を調べるための埋設管標識システムとしては、例えば、特開平７−１２９５５号（特許文献２）が存在する。この構成は、アンテナと、装置本体と、埋設管の継手部に予め設置されるループコイルを備えた標識装置とで成り、これによって、埋設管との探知通信における通信距離を延ばすことを可能としている。
【０００５】
そして、これと同様に特開平９−１２７２５４号（特許文献３）も存在し、標識装置からの応答受信信号をスペクトル拡散信号との相関による相関値を求め、これに基づいて探査時のノイズ妨害を減らして標識装置の有無を判定することができる埋設管探査システムである。
【０００６】
この他、特開平７−１３４１８３号（特許文献４）が存在し、この構成は、センサに浮体を設けた探知部と、探知部を操作するコントロールアーム部と、フレキシブルダクトを介し接続されたエンジン付送風機とから成り、探知時にはその送風機とコンピュータ処理部をキャリアに搭載し探知者が背負うと共に、表示装置付ヘルメットを装着し、送風機からの空気を浮体に供給しアーム部の操縦で探査の移動方向を制御する。これによって、非接触探知で不整地でも高感度で正確な探知データが得られ、探知動作に並行して探知物の確認ができる携帯用埋設物探知装置及び探知物表示装置である。
【０００７】
ここで更に、この種の埋設された物体の探知技術において、近年、当該埋設物の近傍に予めマーカー等の共振回路から成る探知手段を埋設しておき、その探知手段を後に検出することで、その埋設物体の埋設位置を正確に探知する装置及びそのシステムが知られている。
【０００８】
例えば、特開昭４９−１１６９９７号（特許文献５）には、検知すべき物品に所定周波数で共振する共振回路（ウエハ）を装着し、アンテナからの送信波による共振され選択されたエコー受信波から、その物品の存在を検知する物品検知方法及びその装置が記載されている。この技術によれば、共振回路の小型化、周波数選択度の低いウエハでも信頼性のある物品検知を可能とするものである。
【０００９】
また、特公平７−１２２６７３号（特許文献６）には、建物の壁内、柱内、床下等に埋設されている物体（例えば、ガス管、水道管）の埋設物近傍にアンテナと共振体であるマーカーを埋設しておき、マーカーにおける送受信信号を送受する送受信アンテナを、そのループ面が、マーカーのアンテナのループ面に対して平行になる姿勢で走査して共振体の共振振動を受信する区域を識別後、更にそのループ面が、マーカーのアンテナのループ面に対して垂直になる姿勢でその識別した区域を走査し共振振動を受信しない区域を識別して、埋設物の埋設箇所を特定する技術が示されている。
【００１０】
更に、特開平７−３３３３５０号（特許文献７）は、屋内配線探知用に、長尺テープ本体の粘着面に多数の共振ラベルを所定間隔毎に設け、これを建築物の床等の内部に埋設される電線、電話線等（フロアダクト）に直接貼付、又は近傍に設け、検知装置により環状アンテナ部を床面に沿わせながら操作用把手部を操作して移動し、共振ラベルにより共振された受信信号をアンテナで捉え、これを操作用把手部に設置された信号処理部で信号処理し、床下埋設物の位置情報、埋設物の種別を検知する技術である。
【００１１】
尚、ここで、この種の関連する他の技術には、長尺埋設物の探知方法として、特開平８−２１８８１号（特許文献８）が存在するが、これも長尺埋設物の埋設する場所を検知する方法であり、特に、被探知長尺埋設物の埋設方向に沿って連続的な探知が可能であり、これにより、電力ケーブル等の複雑に変向して敷設されていても電力ケーブルの敷設方向の探知が正確に可能となる技術である。
【００１２】
ところで、前述の各特許文献に示されている識別装置、標識装置、共振回路など、この種の共振タグ、ラベル、マーカーは、例えば、特開昭４８−７７６９５号（特許文献９）の電子防護システム、実開平６−４８０９０号（特許文献１０）のセンサータグ又は特開２００１−１６７３６６（特許文献１１）の共振タグ等において開示されており、商品の盗難防止、万引き防止等の用途において、特定の商品に付されて検知システムを構築することが行われている。これにより、薄型、小型軽量、ノイズによる誤認防止対策（ノイズ対策）が施されている。そして特に、共振回路を構成するコイル、コンデンサ等の実装技術、パターン配線においても高性能化がなされている。また、これら商品の盗難防止、万引き防止装置においては、共振タグ、ラベルと組合せて使用されるアンテナ部は、設置型のループアンテナが広く知られ活用されている。
【００１３】
この種のアンテナは、特開昭５４−１１５０９９号（特許文献１２）の電子式保安システムのためのアンテナシステム、実開昭５９−１７４７０８号（特許文献１３）のアンテナ装置、特開平８−２２２９３５号（特許文献１４）の盗難防止装置用アンテナ、特許第３１１４８３６号（特許文献１５）のプリントダイポールアンテナ等に開示され、公知であり、これらは、いずれもプリント基板等の板状体に多数のループ状を形成して構成されるものであり、ノイズ対策、電界強度向上、インピーダンス整合性の向上などを図る技術である。
【００１４】
以上説明したように、地下、地面における金属埋設物の探知、建築物における壁、天井や床内における共振タグを用いた配線、配管等長尺物の探知、店頭における共振タグを用いた商品の盗難防止、万引き防止など、種々の分野において、外部からは見えない所定の埋設された対象物を探知、探査する装置、盗難・万引き防止におけるセキュリティ装置が知られている。
【００１５】
ところで、床材の技術分野において、二重床構造が広く知られ、特に、近年、ＯＡ機器利用が急速に高まり、このため、現在、フリーアクセスフロアの普及がめざましく発展している。
【００１６】
この二重床（フリーアクセスフロア）の技術分野において、電算機室、ＯＡ機器対応用として、多数の支持脚で方形パネルを支持して形成される支持脚型パネル、配線溝を縦横に形成し、カバーで覆って形成される配線溝型パネル、特公平４−１１４２号（特許文献１６）、実公平４−２８３５９号（特許文献１７）、これら両者を複合したパネルなどの基本構成とするフリーアクセスフロアが知られ、現代に至るまで多種多様な構成のものが広く用いられている。
【００１７】
そして、建物の既設の床スラブに主に置敷きにより敷設され、その支持脚間や、配線溝内などの二重床内部には、ＯＡ機器等からの多種多様な配線や配線器具等を敷設、設置することができ、二重床表面には仕上げ材としてのタイルカーペットが敷設される。これにより、多種多様、多数のＯＡ機器が設置されても二重床上面は、配線、配線器具、機器等が露出させることなく、しかも、歩行等に邪魔にならずに整然と配線敷設が可能となり、オフィスにおける配線マネジメント管理が極めて容易になったところである。
【００１８】
ここで、床面外部に配線や配線器具等を露出させないフリーアクセスフロアであるが故に、実際の配線マネジメントにおいては、多種多様な配線の区別、配線器具等の設置位置等、使用者や管理者が明確に熟知していなければならない。特に、例えば、レイアウト変更に伴う配線器具、配線変更、移・増設の際には、必要不可欠であり、特に、配線、配線器具の設置位置は、床表面からは容易に目視、確認できないことから極めて重要になる。
【００１９】
更に、二重床内に配線や配線器具等が大量に存在する場合には、目的とする配線や配線器具等の探索は、予想される位置、その近傍の多数の仕上げ材及びパネルやカバーを外して見つけなければならず、面倒であり、その捜索が困難となる。
【００２０】
このため、二重床内における配線や配線器具類の探査には、マーカー、ピンを用い、その目印とする方法、磁石を用い磁気探知による方法、無線通信によりその発振動作を検知する方法等によって、捜索可能とする手法がある。
【００２１】
即ち、前記塗料マーク、マーカー、係止ピンによる方法は、特開平９−２４７８２６号（特許文献１８）、特開平２−１９７６６７号（特許文献１９）、特許第２９８０９７２号（特許文献２０）に開示されているように、二重床表面に大きな突起物が生じることなく、配線や接続機器類の位置を確認することが可能である。
【００２２】
また、前記磁石による方法は、実開昭６２−１９１３１７号（特許文献２１）に示すように、壁内に設置される配線器具用ボックス内に位置検知用の磁石が設けられ、磁界の有無に基づいて壁内に隠れているボックスを検知するものである。
【００２３】
更に、前記無線通信による方法は、特開平３−１７１４００号（特許文献２２）、実開平６−２５９９１号（特許文献２３）に開示され、電源供給された発信ユニットを床内の配線器具に設け、その発信信号の発振周波数に応答する受信機によって探査し、その配線器具に近づいた時、その周波数に基づいた探知音、探知表示により報知するものである。
【００２４】
このようにして、この種の技術分野では、配線マネジメントの向上、配線移増設に伴う施工性の向上等、その利便性が強く望まれている。
【特許文献１】実用新案登録第２６０５２７６号公報
【特許文献２】特開平  ７−  １２９５５号公報
【特許文献３】特開平  ９−１２７２５４号公報
【特許文献４】特開平  ７−１３４１８３号公報
【特許文献５】特開昭４９−１１６９９７号公報
【特許文献６】特公平  ７−１２２６７３号公報
【特許文献７】特開平  ７−３３３３５０号公報
【特許文献８】特開平  ８−  ２１８８１号公報
【特許文献９】特開昭４８−  ７７６９５号公報
【特許文献１０】実開平 ６−   ４８０９０号公報
【特許文献１１】特開２００１−１６７３６６公報
【特許文献１２】特開昭５４−１１５０９９号公報
【特許文献１３】実開昭５９−１７４７０８号公報
【特許文献１４】特開平  ８−２２２９３５号公報
【特許文献１５】特許第３１１４８３６号公報
【特許文献１６】特公平  ４−    １１４２号公報
【特許文献１７】実公平  ４−  ２８３５９号公報
【特許文献１８】特開平  ９−２４７８２６号公報
【特許文献１９】特開平  ２−１９７６６７号公報
【特許文献２０】特許第第２９８０９７２号公報
【特許文献２１】実開昭６２−１９１３１７号公報
【特許文献２２】特開平  ３−１７１４００号公報
【特許文献２３】実開平  ６−  ２５９９１号公報
【発明の開示】
【発明が解決しようとする課題】
【００２５】
以上説明したように、この種の地下、地面における埋設物の探知、探査の技術については、以下のような種々の技術的課題が残されている。即ち、
【００２６】
特許文献１は、金属探知装置であり、探査対象物が金属であるが故に、送受信用アンテナが複雑化、部品点数の増加、大型化となり、埋設物は所詮金属物しか探査できない。また、電源出力部は、別体であったり、連結部の把持部分に設けられるため、邪魔になったり、重量も増大し、探査時の操作性、安定性が悪いというものであった。
【００２７】
特許文献２は、装置本体が別体であるので、探査操作時には邪魔になり操作性が悪いこと、埋設管の継手部に設置される標識装置が大型のループコイルであるため、配管専用であり、それ以外の被探知物には使用できず、設置が面倒であるなどの欠点がある。
【００２８】
特許文献３は、埋設管に設置される標識装置は、特許文献２開示の装置に比べ小型化されているが、その設置や固定が安定にできないし、装置本体は、同じように別体であるので、探査時には操作性が悪いのには変わりがない。
【００２９】
特許文献４は、装置が大掛かりであり、大型化、構造の複雑化、コストＵＰとなる探査装置及びシステムであり、特殊性のある装置である。
【００３０】
特許文献５は、共振回路が小型化され、例えば、カード形状にすれば商品等の万引き防止や盗難防止に活用することができるが、この共振回路は、予め絶縁フィルム両面に貼り合わされたアルミニウ薄板によるエッチング法でコイル及びコンデンサを構成したものであって、エッチング法や絶縁フィルムの貼り合わせ等、これらが手間であり、コスト面でも不利であった。そして、この技術は、商品に付される共振回路であって、店頭における陳列商品等の検知技術に過ぎないものである。この種の技術分野と二重床（フリーアクセスフロア）の技術分野とは関連性がなく相違するものである。
【００３１】
特許文献６は、マーカーにより共振回路が小型化され、共振マーカーだけは扱い易くなったが、アンテナコイルのループ面に対して水平、或いは垂直になるようにマーカーを設置しなければならず、また、アンテナ走査も水平、垂直とアンテナのループ面を２段階に変えて走査する必要性があり、アンテナも円盤形状で大型であり、操作性、使い勝手は悪い。更に、探知器本体も送受信部、制御部、切替部とが分離されており、アンテナも水平垂直と２段階走査可能な構造にする必要があり、構造の複雑化、探知操作、走査が面倒であり簡単に探知できるというものではなかった。
【００３２】
特許文献７は、長尺テープ粘着面に多数の共振ラベルを所定間隔毎に設けたもので、薄型、軽量化が図られ、且つ探査機本体も信号処理部と一体的に構成され、探知の際の操作性も向上した。しかしながら、配線、配管等の長尺形状の検知物については何ら支障が生じないが、長尺形状以外の検知物の場合はカットする必要性があり、扱いずらく、また、アンテナ部は環状形状で大きいために、比較的広い探査領域にしか適用できない。特に、例えば、床下の机や椅子、キャビネット、家具、事務用品等が設置されている比較的狭い場所、奥の領域部分は全く探知操作できず、検知が不可能であるという欠点がある。又、探査機本体に、信号処理部を操作用把手部に一体的に設けて構成された場合、把手部に重量物が位置するために重く、操作しずらいという問題もある。そして又、アンテナ部８と信号処理部９とは何らかの形で接続線で接続される訳であるが、この場合では接続線が長くなり、このため、外来ノイズ等の影響を受け易くなり、誤動作するという問題がある。
【００３３】
このことは、長尺埋設物の探知方法である特許文献８についても同様である。
【００３４】
一方、前述した識別装置、標識装置、共振回路等、この種の共振タグ、ラベル、マーカーの技術では、以下のような技術的課題が残されている。
【００３５】
即ち、例えば、特許文献９の電子防護システム、特許文献１０のセンサータグ、特許文献１１の共振タグ、また、共振タグ、ラベルと組合せて使用されるアンテナ部は、特許文献１２の電子式保安システム、特許文献１３のアンテナ装置、特許文献１４の盗難防止装置用アンテナ、特許文献１５のプリントダイポールアンテナ等においては、商品の盗難防止、万引き防止等の用途において、特定の商品に付されて検知システムを構築するのに利用されている。
【００３６】
ところが、この種の探査システムの応用技術が十分に確立しておらず、共振タグ、ラベル技術の有効活用が不十分であり、より応用技術の発展、用途の拡大等の開発が望まれている。
【００３７】
つまり、探知、探査技術において、共振回路やこれと組合せてアンテナを適用することは、前述した地中、埋設物の探知に使用されているが、上記の共振タグ、ラベル技術を応用して、配線マネジメントの容易化を図るべく配線、配線器具類等の探知、探査可能とする二重床（フリーアクセスフロア）システムの構築には、活用されておらず、二重床の技術分野では存在していない。
【００３８】
即ち、二重床（フリーアクセスフロア）においては、現在に至るまで、支持脚型パネルや、特許文献１６、特許文献１７に示す配線溝型パネル、これらを複合したパネル等のフリーアクセスフロアにおいては、二重床内における配線、配線器具類の探査では、主に特許文献１８、特許文献１９、特許文献２０の塗料マーク、マーカー、係止ピンによる方法が行われていた。
【００３９】
しかしながら、これらの構成、方法では、取り付けに際して、仕上げ材の切断、穴あけが必要となり、外観上の見栄えの悪さ、はずれ易い、取付け、設定施工が面倒であるなどの欠点があり、更に、レイアウト変更に伴う配線器具類の際には、仕上げ材を一旦剥がすため、元に戻した際には、そのマーカー位置が元の位置に合わせることが困難となる不具合がある。
【００４０】
この場合、仕上げ材は、その敷設位置を元通りに合せて敷設する必要が生じ、手間が掛かる。配線器具施工業者とは無関係な仕上材設備業者が誤って敷設した場合には、使用者等が配線器具類の設置位置を間違って認識してしまう欠点がある。
【００４１】
また、特許文献２１の磁石による方法は、磁石が高価でコストＵＰ要因となり、その固定構造の複雑化を来たし、また、磁気特性の性能上、磁気的特性の検知では探知精度上の限界があり、しかも、磁気カード等、磁気に悪影響を及ぼす可能性があるという懸念事項がある。このため、有効的に利用することは少ない。
【００４２】
更に、特許文献２２、特許文献２３の無線通信による方法は、通常の二重床内の配線によって誤動作を起こす場合、探知精度上でも問題があり、また、送受信機には双方電源が必要となるし、送受信機２つのユニットを備えるのはコスト的にも高価となる等の問題がある。このため、殆ど実用化されていない。
【００４３】
発明の目的  
本発明は、上記従来の課題に鑑みて成されたものであり、二重床内の配線や配線器具類等の探知において、その設置位置検出の操作性、施工性の容易化、探知装置の構造の簡単化、低コスト化を図る二重床設置物の探知装置及びその探知方法を提供することを目的とする。
【課題を解決するための手段】
【００４４】
本発明に係る二重床設置物の探知装置及びその探知方法は、上記目的を達成するために成されたものであり、第１に、二重床設置物の探知装置に係る前記アンテナ部３０は、前記仕上げ材Ｔのサイズに基づいて設定されたサイズ（長さ）Ｗに設定され、前記略モップ形状探知手段２０の前記探知操作部５０により、前記アンテナ部３０を、前記仕上げ材Ｔの上面に沿って該仕上げ材Ｔのサイズを基準とする所定床面領域で走行させるように操作し、前記共振手段１０と前記アンテナ部３０及び前記探知ユニット部４０とにより、前記仕上げ材Ｔのサイズに基づいて探知領域を認知可能とすると共に、その共振動作状態の検知に基づいて前記配線や配線器具類の位置を探知する。
【００４５】
これにより、タイルカーペット幅の略５００mm〜６００mm幅Ｗの長さに設定したので、仕上げ材Ｔの幅基準で走行、操作できるから、探知する際の操作性がよく、また、探知領域の確認ができるので、探知の作業性が向上する。
【００４６】
第２に、二重床設置物の探知装置に係る前記探知ユニット部４０を前記アンテナ部３０上面の略中央部近傍位置に設け、前記略モップ形状探知手段２０の前記探知操作部５０により、前記アンテナ部３０を、前記仕上げ材Ｔの上面に沿って走行させるように操作し、その共振動作状態の検知に基づいて前記配線、配線器具類の位置探知する。これにより、感度の向上、ノイズ混信防止、構造の一体化、簡単化、重量バランスが良くなる。
【００４７】
第３に、二重床設置物の探知装置に係る前記探知ユニット設置部（ホルダー）４２は、該探知ユニット部４５を前記探知操作部５０の所定位置（グリップ部）に着脱自在に設置可能とし、前記探知ユニット部４５が前記探知ユニット設置部４２に設置されている時には、前記探知操作部５０により、前記第１アンテナ部３０を前記仕上げ材Ｔの上面に沿って走行させるように操作可能とすると共に、前記設置されていない時には、前記探知ユニット部４５単独により内部の前記第２アンテナ部３５を前記仕上げ材Ｔの上面に沿って走行させるように手動操作可能とし、前記共振手段１０の共振動作状態の検知に基づいて前記配線や配線器具類の位置を探知する。これによって、操作部５０の手元で探知ユニット４５を操作でき、且つ報知されるので、探知及びその操作性が向上する。また、探知ユニット部４５が操作部５０の手元で着脱可能となるので、例えば、机下等の狭い場所での探知では、探知ユニット４５を外して手操作により使用することも可能となる。
【００４８】
第４に、二重床設置物の探知方法に係る前記共振手段１０は、二重床の所望位置に設置可能であって、共振可能な領域を少なくとも縦横の２方向に亘って拡大できるように断面略Ｌ字形状又は略コ字形状に構成され、前記アンテナ部３０を、前記仕上げ材Ｔの上面に沿って走行させるように操作し、前記共振手段１０との共振動作状態の検知に基づいて、前記配線や配線器具類の位置を探知する。これによって、共振ラベルの配置、着脱可能に位置決め固定の容易化、設置位置変更の自由性が得られ、また、２方向で共振動作可能となるように共振ラベルを設置したので感度が向上する。金属製以外、例えば、樹脂製配線カバー又はパネルの表裏一方に着脱可能に設けることも可能である。
【００４９】
第５に、二重床設置物の探知方法においては、まず、第１のステップにより、仕上げ材Ｔが敷設された二重床内の所定位置に被探知物として設置された配線・配線器具類の少なくとも近傍位置に該配線・配線器具類の位置を検出するために略薄板状の共振手段１０を設置する。
【００５０】
次に、第２のステップにより、所定の探知ユニット部４０で、所定のアンテナ部３０を介して前記共振手段１０へ共振動作させるために所定の励振信号、共振受信信号を送受信するための所定の探知ユニット部４０が、前記アンテナ部３０又は所定の探知操作部５０に設けられ、該探知操作部５０により、仕上げ材Ｔの上面に沿って任意に、且つ、自在に走行可能となるように操作し、前記被探知物を検出するための所定の探知動作を行う。
【００５１】
そして、第３のステップにより、前記探知動作時に、前記探知ユニット部４０で、前記アンテナ部３０を介して前記共振手段１０から受信して得られた共振受信信号に基づいて前記共振手段１０の設置位置を特定し、該特定位置が特定されたことを報知するようになるので、二重床内における基本的な探知操作が順次手際良く可能となり、施工性の向上や二重床探知の容易性を図ることができる。
【００５２】
また、前記アンテナ部３０又は前記第１アンテナ部３０が、狭幅の薄板形状略長方形状（長尺形状）に形成され場合には、基板アンテナを適用し、アンテナ電極間の余剰空間を狭めたので、検知領域の抜けを防ぐことができ、探知感度低下、ノイズの影響、誤動作を低減させることができると共に、薄型長方形状により、床面の狭い場所でも探索が可能となる。
【００５３】
そしてまた、前記アンテナ部３０又は前記第１アンテナ部３０が、その底面に、略凸状の突起部３０ｃを多数所定間隔で設けた場合には、探知操作時には、引っかかり無く仕上げ材Ｔの上面の滑りを向上させることができ、探知作業性が向上する。
【００５４】
更に、前記アンテナ部３０又は前記第１アンテナ部３０が二重床上面に敷設される仕上げ材Ｔのサイズに対応するサイズに設定された長さＷを有する場合には、タイルカーペット幅の略５００mm〜６００mm幅の長さに設定したので、仕上げ材の幅基準で走行、操作でき、探知する際の操作性、作業性が向上する。また、容易に探知可能となる。
【００５５】
また更に、前記探知ユニット部４０が、前記アンテナ部（第１アンテナ部）３０又は前記探知操作部５０に設けられた場合には、操作性が向上し、容易に所望の探知が可能となり、前記共振手段１０が、二重床の所望位置に設置可能であって共振可能な領域を少なくとも縦横の２方向に亘って拡大できるように断面略Ｌ字形状（略コ字形状）に形成された場合には、共振タグ、ラベルの共振領域（電磁界領域）を縦横方向に拡大でき、共振感度や探知能力を向上させることができる。共振タグを１枚使用にした場合には、より低コスト化することができる。
【００５６】
そして、配線器具類、配線カバー等が共振手段の共振動作を阻害（遮蔽）させるような金属製であっても、そのカバー等の上面側の平面ではなく、すきま、間隙を利用して垂直面に差し込む形式に設定し、電界方向を変えることにより正常に共振動作させるようにできる。
【００５７】
本発明に係る二重床設置物の探知装置は、前記アンテナ部３０が、前記仕上げ材Ｔのサイズに基づいて設定されたサイズ（長さ）Ｗに設定され、前記略モップ形状探知手段２０の前記探知操作部５０により、前記アンテナ部３０を、前記仕上げ材Ｔの上面に沿って該仕上げ材Ｔのサイズを基準とする所定床面領域で走行させるように操作し、前記共振手段１０と前記アンテナ部３０及び前記探知ユニット部４０とにより、前記仕上げ材Ｔのサイズに基づいて探知領域を認知可能とすると共に、その共振動作状態の検知に基づいて前記配線や配線器具類の位置を探知する。
【００５８】
これにより、タイルカーペット幅の長さに設定したことによる仕上げ材Ｔの幅基準で走行や操作ができ、探知する際の操作性に優れている外、探知領域の確認ができ、探知の作業性が向上する。
【００５９】
また、前記探知ユニット部４０が、前記アンテナ部３０と該探知ユニット部４０との接続を比較的最短接続可能に前記アンテナ部３０上面の略中央部近傍位置に設けられ、前記略モップ形状探知手段２０の前記探知操作部５０により、前記アンテナ部３０を、前記仕上げ材Ｔの上面に沿って走行させるように操作し、その共振動作状態の検知に基づいて前記配線や配線器具類の位置を探知する。
【００６０】
これにより、感度の向上、ノイズの混信防止、構造の一体化、簡単化等が図られると共に、重量バランスが良くなる。
【００６１】
そして、前記探知ユニット設置部（ホルダー）４２が、該探知ユニット部４５を前記探知操作部５０の所定位置（グリップ部）に着脱自在に設置可能となり、前記探知ユニット部４５が前記探知ユニット設置部４２に設置されている時には、前記探知操作部５０により、前記第１アンテナ部３０を前記仕上げ材Ｔの上面に沿って走行させるように操作可能とすると共に、前記設置されていない時には、前記探知ユニット部４５単独により前記第２アンテナ部３５を前記仕上げ材Ｔの上面に沿って走行させるように手動操作可能とし、前記共振手段１０の共振動作状態の検知に基づいて前記配線や配線器具類の位置を探知する。
【００６２】
これにより、操作部５０の手元で探知ユニット４５を操作でき、且つ報知されるため、探知及びその操作性が向上し、また、探知ユニット部４５が操作部５０の手元で着脱可能となるので、例えば、机下等の狭い場所での探知では、探知ユニット部４５を、該探知ユニット設置部４２から外して手操作により使用することが可能となる。
【００６３】
更に、前記共振手段１０が、二重床の所望位置に設置可能であって、共振可能な領域を少なくとも縦横の２方向に亘って拡大できるように断面略Ｌ字形状（略コ字形状）に構成され、前記アンテナ部３０を、前記仕上げ材Ｔの上面に沿って走行させるように操作し、前記共振手段１０との共振動作状態の検知に基づいて、前記配線や配線器具類の位置を探知する。
【００６４】
これにより、共振ラベルの配置、着脱可能に位置決め固定の容易化、設置位置変更の自由性が得られ、また、２方向で共振動作可能となるように共振ラベルを設置したので感度が向上する。金属製以外、例えば、樹脂製配線カバー又はパネルの表裏一方に着脱可能に設けることも可能である。
【００６５】
また更に、第１のステップにより、仕上げ材Ｔが敷設された二重床内の所定位置に被探知物として設置された配線・配線器具類の少なくとも近傍位置に該配線・配線器具類の位置を検出するために略薄板状の共振手段１０を設置し、第２のステップにより、所定の探知ユニット部４０で、所定のアンテナ部３０を介して前記共振手段１０へ共振動作させるために所定の励振信号、共振受信信号を送受信するための所定の探知ユニット部４０が、前記アンテナ部３０又は所定の探知操作部５０に設けられ、該探知操作部５０により、仕上げ材Ｔの上面に沿って任意に、且つ、自在に走行可能となるように操作し、前記被探知物を検出するための所定の探知動作を行い、前記探知動作時に、前記探知ユニット部４０により、前記アンテナ部３０を介して前記共振手段１０から受信して得られた共振受信信号に基づいて前記共振手段１０の設置位置を特定し該特定位置が特定されたことを報知する。
【００６６】
このようにして、二重床内における基本的な探知操作が順次手際良く可能となり、施工性の向上、二重床探知の容易性を図ることができる。
【００６７】
以上、本発明に係る探知装置及びその探知方法によれば、二重床内の配線や配線器具等の探知、設置位置の検出及び操作性の容易化、探知装置の構造の簡単化、低コスト化等を図ることができる。
【発明の効果】
【００６８】
本発明に係る二重床設置物の探知装置及びその探知方法によれば、以下の諸効果を奏する。
１．アンテナ部材は、敷設された仕上げ材の単位サイズに基づいて設定された長さの略薄板長方形状に形成されているので、仕上げ材の敷設方向に沿って走行可能であり、探知領域の確認が可能である。併せて探知操作時の操作性、探知精度、探知の信頼性等が向上する。
２．探知ユニット部は、前記アンテナ部上面の略中央部分以外の一方側に設けられているから、操作部の取り付け構造が簡単化でき、又、中央部或いは一方の片側に設けたので、これによって軽量化、操作の安定化や、取回しが容易にできると共に、他方の片側は、薄い長方形状のアンテナ部材のみの構造となるので、これによって、比較的狭い床面上や間隙部分の領域にまで探知操作が可能となる。
３．探知ユニット部は、探知手段の探知操作部に対して着脱自在となるので、探知領域に応じて、アンテナ部が入れない狭い場所においても、探知ユニット部本体で手持ちにより探知操作可能となり、探知操作性が向上し、自由度がある。
４．共振手段は、二重床内の任意位置に着脱可能であって、側面方向に向けて平面的に縦横２方向に亘って共振領域を拡げることができ、感度を向上させ、ノイズを低減させることができる。
５．二重床、フリーアクセスフロアの技術分野に係る二重床内における配線や配線器具等の探知システムにおいては、モップ形状の探知装置により、アンテナ部を仕上げ材上面にすべるように走行させる手順の探知方法で、共振動作による探知ユニット部からの報知によって配線器具等の探知が極めて容易に行えるようになった。
【発明を実施するための最良の形態】
【００６９】
本発明に係る二重床設置物の探知装置及びその探知方法について、以下に、好適な実施形態について説明する。
図１〜図１３は、夫々実施形態の一例を示す好適な構造を示し、図１〜図３は探知手段２０及び共振手段１０の具体的構成を示す斜視図、図４はアンテナ部３０の側面断面を示す説明図、図５はアンテナ部３０の底面を示した斜視図、図６及び図７は探知手段２０の他の例の具体的構成を示す斜視図、図８及び図９は図６及び図７に示された実施例の携帯型探知ユニット部４５及び設置部４２の内部断面図、図１０及び図１１は共振手段１０の具体的構造を示した斜視図、図１２及び図１３は各種共振手段１０の二重床への設置状態を示す斜視図である。
【００７０】
本実施例に係る二重床内設置物の位置を探知する探知装置１の基本構成は、例えば、図１に示すように、共振手段１０と探知手段２０とから構成される。前記共振手段１０はタイルカーペット等の仕上げ材Ｔが敷設された二重床内に設置される配線、配線器具類の少なくとも近傍位置に設けられ、前記探知手段２０は、アンテナ部３０と、探知ユニット部４０と、探知操作部５０とから略モップ形状を構成している。
【００７１】
この仕上げ材Ｔは、好適には例えば５００ｍｍ〜６００ｍｍ角程度のタイルカーペットを複数敷き詰めたものであり、これによって、その寸法、サイズの目地線が床全面に格子状に形成される。
【００７２】
共振手段１０は、ＬＣ、又は、ＬＣＲのコイルとコンデンサ、抵抗体より構成され、所定の共振周波数ｆｏに設定された略薄板四角形状のラベル、タグ形状のものであり、被探知物の配線や配線器具本体、又は、その近傍位置に、例えば、上面に向けて貼付け、設置可能とするものであり、アンテナ部３０からの所定の送信信号の受信によりその送信信号に基づく共振周波数ｆｏを検知し共振動作による共振信号を発生しアンテナ部３０へ送信するものである。
【００７３】
この共振手段１０は、一般に、近傍に金属物があると電磁波は遮断されるため、共振が正常に動作せず誤作動することが知られており、金属物以外の部材に設ける。
【００７４】
前記アンテナ部３０は、図示のように、略薄板長方形状に形成され、プリント型ループアンテナを構成し、アンテナエレメントを多数構成している。これによって、アンテナ部３０の軽量化、構造の簡単化を図ることができる。
【００７５】
前記探知ユニット部４０は、前述のように、アンテナ部３０から所定の共振周波数ｆｏの送信信号を発生させるために、図示されていない発振回路、送信信号発生回路やこれらの制御、受信信号検知分析回路、その制御回路、検知分析結果に基づいて音声、警告音、表示等を発生させる報知回路等を含む。
【００７６】
前記探知操作部５０は、前記アンテナ部３０と前記探知ユニット部４０とを結合して一体化するための構造体であり、且つ、前記アンテナ部３０を、前記仕上げ材Ｔの上面に沿って走行させることができるように手持ち可能な操作部分を構成し、図１では、前記アンテナ部３０と前記探知ユニット部４０と柄が略棒形状の操作グリップの探知操作部５０とで前記略モップ形状を形成している。
【００７７】
これによりアンテナ部３０を仕上げ材Ｔの上面に沿って自由自在に動作させることが可能となり、その共振手段である共振タグ１０に接近した場合に、その共振動作状態をスムーズに検知でき、その検知状態に基づいて前記配線や配線器具類の位置を探知することができる。
【００７８】
本発明に係る実施例の特徴的事項は、主に、以下の５つである。
即ち、第１に、前記アンテナ部３０は、前記仕上げ材Ｔのサイズ、寸法に基づいた幅Ｗを形成して構成したことにある。これにより、前述した目地線の区切りによりタイルカーペットの単位サイズに基づいて所定の床面積で探知領域を確認しながら操作することが可能となる。
【００７９】
そして、第２に、前記探知ユニット部４０を前記アンテナ部３０上面の略中央近傍に設けて構成したことにある。これにより、アンテナ部３０と探知ユニット部４０との接続を最短に接続できるのでノイズの影響を最小にできるから、誤動作防止が可能であってアンテナ部３０も薄型、軽量化が可能で、重量バランスも良好となる。
【００８０】
又、第３に、前記携帯型探知ユニット部４５が前記探知操作部５０に着脱自在に設けられ、離脱時には該携帯型探知ユニット部４５の内部の第２アンテナ部３５により手持ちで狭い部位の探知領域を探知可能とし、装着時には前記探知ユニット部４０の第１アンテナ部３０により探知操作部５０の操作で探知可能とする構成したことにある。これにより、探知領域が非常に狭い場所では、携帯型探知ユニット部４５を手持ちで操作し内部の第２アンテナ部３５で探知可能であり、探知領域の大きさに応じて選択的に対応することができてスムーズな探知操作が可能となる。
【００８１】
更に、第４に、前記共振手段１０は、二重床Ｐ１、Ｐ２の所望位置に設置可能であり、共振動作可能領域を縦横の２方向に亘って拡大可能に少なくとも略Ｌ字形状に構成したことにある。これにより、共振領域が任意位置に着脱自在に設置でき平面的に拡大されるので、位置検知の誤動作を低減でき、探知を確実に行うことができる。
【００８２】
また更に、第５に、前記共振手段１０により配線器具類又はその近傍位置を検知し（第１のステップ）、前記探知操作部５０によりアンテナ部３０を仕上げ材Ｔの上面に沿って任意に、且つ自在に走行可能となるように操作し配線器具類を位置検出する探知動作を行い（第２のステップ）、その動作時に、探知ユニット部４０により共振動作に基づいて共振手段１０の設置位置を特定し、その特定位置を報知する（第３のステップ）という、上記第１、第２、第３のステップによる一連の探知方法にある。
【００８３】
これにより、従来方式とは異なる探知方法により迅速、且つスムーズで容易な操作で探知可能となる。
【実施例１】
【００８４】
次に、上記第１〜上記第５の特徴点を、以下、図面を用いて詳細に説明する。
図１は、前記探知手段２０の探知操作状態と、前記共振手段１０の設置状態を示したものであり、共振手段１０は、配線溝型二重床パネルＰ１の配線溝内に位置するように、断面略Ｌ字形状の樹脂製部材に共振タグを貼付けて構成したものであり、パネルを構成するブロック体間のスリットに差し込んで共振タグをそのブロックの側面、横向きに配置するように設置している。
【００８５】
この場合、共振タグは、配線溝上面には、図示のように、配線カバーが敷設され覆われるが、カバーが金属製であっても直接金属に接して貼付けられている訳ではないので、共振動作は可能であり探知に支障は生じない。探知された共振タグの共振時における電界領域は配線溝内で横方向に広がると共にブロックとカバーとの間隙にも拡がって形成されることとなる。
【００８６】
ここで、前述の共振手段１０とアンテナ部３０と探知ユニット部４０と探知操作部５０とから成る略モップ形状探知手段２０を図示矢印（⇒）のように操作する。つまり、探査作業者は、その探知操作部５０の操作により、前記仕上げ材Ｔのサイズに基づいて設定された長さＷのアンテナ部３０を、前記仕上げ材Ｔの上面に沿って該仕上げ材Ｔのサイズを基準とする所定床面領域（図示斜線部分）で走行させるように操作し、前記共振手段１０と前記アンテナ部３０及び前記探知ユニット部４０により、前記仕上げ材Ｔのサイズに基づいた探知領域を認知しながら操作できる。
【００８７】
これにより、その共振動作状態が検知された時には、前記探知ユニット部４０から報知がされ、前記配線や配線器具類の位置を探知することが可能となる。
【００８８】
ここで、アンテナ部３０の幅Ｗは、図示のように、タイルカーペットの幅、即ち、単位サイズにほぼ合った寸法に設定され、これによって、敷設されたタイルカーペット目地を基準に区画領域が想定でき、探知操作した領域を特定するに際し目安となって探知領域とそうでない非探知領域とを識別することが可能となり、探知の操作性、施工性を向上させることができ、迅速、スムーズな探知操作が可能となる。
【００８９】
尚、アンテナ部３０の幅ｄは、例えば机の下、キャビネット間、柱、壁際回り等のアンテナ部３０の幅Ｗでは入りきれない狭い間隙部分において、そのアンテナ部の先端部分からその狭い間隙部分へ入っていける幅寸法に設定されており、具体的には、例えば幅Ｗが５００〜６００ｍｍに対して幅ｄは１００〜７０ｍｍに設定される。また、この幅ｄは、狭ければ狭いほどアンテナパターン間の間隙を少なくすることができ、これによってアンテナの非検知部分を少なくすることができて好適である。
【実施例２】
【００９０】
図２及び図３において、前記探知ユニット部４０は、前記アンテナ部３０の上面であって、その略中央近傍位置に設けられた場合の例を示してある。従来技術においては、前記探知ユニット部４０が前記探知手段２０とは別体で接続線により接続されたり、或いは破線で示すように、前記探知操作部５０に一体的に設けられ、前記アンテナ部３０との接続線が露出していた。
【００９１】
このために、この露出した配線により共振動作に悪影響を来たし、外来ノイズを拾ったりして誤動作を起こす場合があった。
【００９２】
しかし、本実施例の探知ユニット部４０によれば、図２の矢印に示すように、アンテナ部３０上面に直接設置し、アンテナパターンと探知回路とをダイレクトに最短で接続可能となり、しかも配線周りは前記探知ユニット部で囲まれて遮蔽されることが可能となり、確実に外来ノイズ等の悪影響を防止でき、精度ある探知が可能となる。
【００９３】
ここで、ノイズの影響を低減することは、電気的には電源系電圧を下げることができ、更にノイズに強くなり安定な電気的動作が可能となる。また、電源回りを小型化できる点においても有利となる。
【００９４】
また、本実施例に係る前記探知ユニット部４０の設置によれば、前記アンテナ部３０は前述したプリント基板による薄板状のものを適用するに際し、有利に働くことになる。
【００９５】
即ち、図４（ａ）（ｂ）に示すように、アンテナパターン部分３０ｂを、電気的、機械的にも保護可能となるように２枚の同形状の樹脂板３０ａ，３０ｃで挟むようなサンドイッチ構造の積層構造とした。
【００９６】
この積層構造は、例えば約３ｍｍ厚の樹脂板と約４ｍｍ厚のプリント基板のアンテナパターン部分３０ｂとが積層されて総厚約１０ｍｍとなり、それらをビス止め又は接着等で任意に一体構成できる。
【００９７】
これにより、図４（ｂ）に示すように、アンテナパターン部分３０ｂと探知回路３１との接続は、探知ユニット部４０が設置される上面側樹脂板３０ａのアンテナパターン部分３０ｂの接続端子部位置に開口を形成し、該探知回路３１からの配線３２を該接続端子部に直接に最短距離で接続可能な構成を得ることができ、容易に且つ確実に行なうことが可能となる。
【００９８】
図３は、前記アンテナ部３０上面のほぼ中央位置に前記探知ユニット部４０を設置した場合の他の例であり、基本的な機能、作用・効果は、前述した図２と同様である。
【００９９】
図２及び図３において、マウント部６０は、前記探知操作部５０により、前記アンテナ部３０を、前記仕上げ材Ｔの上面に沿って自在に走行させることができるように、該探知操作部５０を矢印（←→）のように３６０度フリーで回動自在となる構成であり、このような機能、作用効果が得られれば、どのような構成でも良い。
【０１００】
尚、図示のように、前記アンテナ部３０の幅ｄは、前記探知ユニット部４０のそれと比較すると、該探知ユニット部４０の方が同じか狭い幅になっており、しかも、前述したアンテナ部３０上面のほぼ中央に前記探知ユニット部４０が設置されているから、前記探知手段２０の重心がほぼ中央に位置するようになるため操作が容易となる。
【０１０１】
また、特に、図３の場合では、前記マウント部６０と前記探知ユニット部４０とが一体的に構成できるため、樹脂成形等の一体成形で構成する場合、コスト的に有利である。
【０１０２】
ここで、図示の構成において、前記略モップ形状探知手段２０の前記探知操作部５０により、前記アンテナ部３０を、前記仕上げ材Ｔの上面に沿って走行させるように操作し、探知操作する際、前述したアンテナ部３０の底面が平坦であっても、タイルカーペット（パイル製、Ｐタイル製）Ｔによっては、すべりが悪く、引っかかる場合があり、これが探知操作に障害を与える場合がある。このため、底部の樹脂板３０ｃには、その隅部や周縁部分、特に、図４に示すように、平面Ｒ形状（図示の○印）及び側面断面Ｒ形状のテーパーを設けることが好適であり、更には、図５に示すように、底部の樹脂板３０ｃに断面略Ｒ形状、又は、半球形状の突起部３０ｄを多数所定間隔をあけて設けることによりスムーズなすべり効果を得ることができる。
【０１０３】
この突起部３０ｄは、図示のように、止め具のような別体のものを螺子止めや接着により取り付けても良いし、底部の樹脂板３０ｃと一体成形で形成するようにしても良い。
【０１０４】
尚、前述したように、前記アンテナ部３０は、四隅部分を略Ｒ形状にすることを示したが、その底部の樹脂板３０ｃを、仕上げ材Ｔの上面に向かって凸となる任意形態の断面略凸形状にすることにより、より滑り効果を得ることができる。
【実施例３】
【０１０５】
図６及び図７には、前記探知手段２０の主たる第１アンテナ部３０と、第２アンテナ部３５を備えた探知ユニット部４５と、該探知ユニット部４５を着脱自在に納置するホルダー４２と、探知操作部５０とから成る略モップ形状探知手段２０を示しており、図６は探知ユニット部４５を前記ホルダー４２に納置した場合を示し、図７は前記探知ユニット部４５を前記ホルダー４２から離脱した場合を示した斜視図である。
【０１０６】
そして、図８及び図９は、前記探知ユニット部４５と該ホルダー４２の内部を示す断面図であって、前記ホルダー４２を介して前記探知ユニット部４５と第１、第２アンテナ部３０、３５との着脱における接続状態を示している。
【０１０７】
図６及び図７において、前記ホルダー４２は、前記第１アンテナ部３０と前記探知ユニット部４５との相互の接続を最短距離で接続可能であって、ホルダー４２からマウント部６０へアンテナ線５１を介して接続され、これによって前記探知ユニット部４５と第１アンテナ部３０とが接続される。
【０１０８】
そして、該探知ユニット部４５を、前記探知操作部５０の所定位置、例えば、グリップ部の近傍位置に前記ホルダー４２により着脱自在に納置でき、図６に示すように、前記探知ユニット部４５が、前記ホルダー４２に納置されている時には、前記探知操作部５０により、前述したと同様に、本体アンテナである前記第１アンテナ部３０を、前記仕上げ材Ｔの上面に沿って走行させるように操作することが可能となり、これによって、探知操作が行われることとなる。
【０１０９】
この場合、探知操作した際に、机の下や壁際等の例えばアンテナ部３０の幅ｄであっても、検知操作が難しい狭い場所の時、或いは、そのような狭い場所を探査、探知する必要が生じた時、図７に示すように、前記ホルダー４２に納置されている探知ユニット部４５をホルダー４２から離脱し、前記探知ユニット部４５単独により内部の前記第２アンテナ部３５を適用して前記仕上げ材Ｔの上面に沿って走行させるように手持ちによる手操作によりその狭い部位を探知可能とするものである。この際、該ホルダー４２には前記探知ユニット部４５は納置されていない。
【０１１０】
このようにして、探知領域の広さ、場所に応じて適宜、略モップ形状探知手段２０と、探知ユニット部４５単独とを選択的に任意に適用することが可能となり、前述した前記共振手段１０の共振動作状態の検知に基づいて前記配線や配線器具類の位置を探知することが可能となる。
【０１１１】
次に、図８及び図９を用いて、前記図６及び図７に示した前記探知ユニット４５の着脱の際の第１、第２アンテナ部３０、３５の接続切り替えの構造及びその作動状態について説明する。
【０１１２】
図示のように、前記探知ユニット４５の内部には、前述した発振回路、送信信号発生回路、受信信号検知分析回路、これらの制御回路、検知分析結果に基づいて音声、警告音、表示等を発生させる報知回路等を含み、これを図示のようにＵＮＩＴとして表記する。
【０１１３】
このＵＮＩＴは、図示の如く、第２アンテナ部３５に接続される訳であるが、これに相当するＡＮＴ２に、一方の配線が第１の接続端子４５ａを介して、他方の配線が第２の可動型接続端子４５ｂを介して夫々接続され、これら第１の接続端子４５ａ、第２の可動型接続端子４５ｂは、前記探知ユニット４５の底部に間隔をあけて設けられている。
【０１１４】
そして、前記ホルダー４２には、その前記探知ユニット４５が納置された際、その底部にある第１の接続端子４５ａ、第２の可動型接続端子４５ｂに対応する底部の位置に第１の接続接点４２ａ及び第２の接続接点４２ｂを備え、本体アンテナ部３０であるＡＮＴ１に一方の配線及び他方の配線で夫々接続されている。
【０１１５】
そして、その探知ユニット４５の納置時には、図８に示すように、第１の接続端子４５ａは第１の接続接点４２ａに、第２の可動型接続端子４５ｂは第２の接続接点４２ｂにそれぞれ接続され、離脱時には両者の各接続端子４５ａ、４５ｂと各接続接点４２ａ、４２ｂとが離れ、接続が断ち切られる状態になる。
【０１１６】
まず、前記探知ユニット４５がホルダ−４２に納置されている時、図８に示されているように、ＵＮＩＴからの一方の配線が、第１の接続端子４５ａと第１の接続接点４２ａとが接続されて第１のアンテナ部３０に接続されると共に、他方の配線が、第２の可動型接続端子４５ｂと第２の接続接点４２ｂとが接続されて第１アンテナ部３０に接続される。
【０１１７】
ここで、第２の可動型接続端子４５ｂは、図８の矢印↑に示す如く、ばね力に抗して頭部が上方へ上がりＡＮＴ２の一方の接続接点ｂ２，ｂ３が外れ、接続が絶たれることになり、他方の接続接点ｂ１のみが接続される。これによって、ＡＮＴ１（本体の第１アンテナ部３０）が選択されるように接続される。
【０１１８】
次に、前記探知ユニット４５が、前記ホルダ−４２から離脱されている時、図９に示すように、ＵＮＩＴからの一方の配線が、前記探知ユニット４５とホルダー４２とが離れるため、第１の接続端子４５ａと第１の接続接点４２ａとの接続が絶たれ、第１のアンテナ部３０の接続が絶たれると共に、他方の配線が、第２の可動型接続端子４５ｂと第２の接続接点４２ｂとの接続が絶たれ、これにより第１アンテナ部３０の接続が絶たれることになる。
【０１１９】
ここで、第２の可動型接続端子４５ｂは、図８の矢印↓に示す如く、ばね力により頭部が下方へ下がりＡＮＴ２の他方の接続接点ｂ１のみが外れて接続が絶たれることになって一方の接続接点ｂ２，ｂ３が接続されることとなり、これによって、ＡＮＴ２（内部の第２アンテナ部３５）が選択されるように接続されることとなる。
【０１２０】
本例の図示では、第１の接続端子４５ａと第１の接続接点４２ａ、第２の可動型接続端子４５ｂと第２の接続接点４２ｂ、接続接点ｂ１，ｂ２，ｂ３は、電気的に接続可能な構成であれば、どのような材質、材料でも良く限定されるものではない。また、図示のような接続切り替え構造、接続端子、接点等の回路構成は同一機能、作用効果を奏するものであれば、どのような回路構成でも良い。要は、探知ユニット４５をホルダー４２に着脱する際に応じて外部アンテナである第１のアンテナ３０と、探知ユニット４５の内部アンテナである第２アンテナ３５とを選択的に切り替えができれば、どのような構成でも良い。
【実施例４】
【０１２１】
前述の説明においては、前記共振手段１０は、前記仕上げ材Ｔが敷設される二重床内に設置された配線、配線器具類本体、又は、その少なくとも近傍に設置される。そして、前記アンテナ部３０と、前記探知ユニット部４０と、前記探知操作部５０とから成る略モップ形状探知手段２０により、前記探知操作部５０で、前記アンテナ部３０を、前記仕上げ材Ｔの上面に沿って走行させるように操作し、該アンテナ部３０が近接した際、共振手段１０の共振動作状態の検知に基づいて、配線や配線器具類の位置を探知することを説明した。
【０１２２】
そこで、前記共振手段１０の具体的構成を、図面を用いて詳細に説明する。
図１０及び図１１において、共振手段１０は、二重床の所望位置に設置可能であって、共振可能な電界領域を少なくとも縦横の２方向に亘って拡大できるように断面略L字形状に構成されている。即ち、図１０は、樹脂製板材を断面略Ｌ字形状となるように基材１０ａを形成し、これの凸側に、その凸部を略中心として、共振タグ１０ｂを貼付けた共振手段１０を示す。この共振タグ１０ｂは、ＬＣ，ＬＣＲから共振回路を構成した四角形状シート状のもので裏面には接着材等が付されたものである。
【０１２３】
また、図１１は、前記基材１０ａに、更に上面部分に天板部を有し、他の３面が開放された立方体状基材１０ｃを構成する共振手段１０を示しており、上面及び水平方向の縦横側面により各3面を形成している。ここで、縦横の２側面には前述した共振タグ１０ｂの1枚貼りの他、2枚貼りすることが可能となる。
【０１２４】
そして、この上面には、この共振手段１０が設置される配線器具類の名称、種別等が記載されたラベル１０ｄを付すことが可能である。この構成では、例えば、図１に示すような二重床が多数のブロックで構成されている場合に、そのブロックに対応させた大きさに基材１０ｃを設定すれば、ブロックの側面とそのブロック上面とで固定できる。即ち、ブロック間に共振タグ１０ｂが挿入され、基材１０ｃ上面の裏面側がブロック上面に接して接着テープ等で接着固定すれば、より安定設置が可能となる。
【０１２５】
以上のような共振手段１０の構成により、共振タグ１０ｂが、1枚貼り又は2枚貼りにより、側面２方向にその共振回路による共振領域（電界空間）を拡大形成することができるので、アンテナ部３０が共振手段１０の近傍に来た時には、確実に共振動作が行われ、近くに遮蔽物があったり、ノイズ発生源があっても悪影響を直接受けにくくなり、誤作動を防止することが可能となる。
【０１２６】
そして、前記基材１０ａ、１０ｃが板状に形成されているので、二重床を構成する所望位置、例えば、隙間（スリット）等が形成されていれば、差し込み式で着脱自在に位置決め固定でき、所望位置に安定設置可能となる。
【０１２７】
ここで、図１２及び図１３を用いて、各種の二重床構造に対応した共振手段１０の設置構造の一例について説明する。
図１２は、前述した図１に対応する配線溝型二重床パネルP１に設置する場合であり、特に、パネル部分が多数のブロックで構成された実例を示すものであって、ブロック間の間隙部分に図示のように所定形状の基材、略Ｌ字形状１０ａ、３面による略立方体状１０ｃ、略枠形状１０ｅ、略Ｔ字形状１０ｆに貼付けられた共振タグ１０ｂの共振手段１０を挿入設置可能とするものである。これにより、共振ラベル１０ｂの配置、着脱可能に位置決め固定の容易化が可能となり、設置位置変更の自由性が得られ、更に、２方向で共振動作可能となるので感度が向上する。
【０１２８】
図１３は、図１２とは異なる形態の支持脚型二重床パネルＰ２に設置する場合であり、特に、配線通路１００を有する形態のもので、パネルＰ２及び支持脚Ｓは金属製であり、配線通路を覆うカバー板１１０が樹脂製で構成されたものである。図示からも理解されるように、カバー板１１０は、パネル四隅部に設けられる交差部カバー板１２０とパネルの辺側相互間に設けられる直線部カバー板１３０とから成り、これらは、図に示すように、ヒンジ機構１３０ａ、１２０ａにより開閉可能となっている。そこで、この種の二重床構造の場合は、パネルＰ２は金属製であるため電界が遮断されるので共振タグ１０ｂを設置できない。そのために、樹脂製であるカバー板１１０に設置することになるが、カバー板１１０の裏面側に、前記基材１０ｇを用い共振タグ１０ｂを貼付けたものを設置するか、共振タグ１０ｂそのものを貼り付け設置することができる。
【０１２９】
これにより、金属製以外、例えば、樹脂製配線カバー又はパネルの裏面に着脱可能に設けることも可能であり、表面上共振タグを目立たせることなく設置でき、しかも共振領域を配線通路の下方のみでなく、上面領域にも及んで拡大でき、共振動作が可能とる。ここで、図１３の例では、パネルが金属であって、金属に囲まれる形になるが、その配線通路空間、及び、カバー板とパネルとの隙間により電界を上方へ拡大させることができるものであり、交差部カバー板についても同様にその裏面に設置できる。
【０１３０】
尚、図１３の例では、基材が略平板状１０ｇの場合で共振タグ１０ｂを貼付け設置した例及び共振タグ１０ｂそのものを貼り付け設置した例を示すが、図示例のものだけに限定されるものではない。前記カバー板構造に対応した種々の基材１０ｂの構成が考えられ適宜可能である。
【０１３１】
更に、前記共振手段１０を構成する前述した他の基材１０ａ〜１０ｇは、各図示のものに限定されるものではなく、種々の変更が可能であり、材料、形態は任意であり、要は、共振ラベルが貼付け可能であり、二重床構造に対応した形態で、着脱自在で任意位置に設置できる形態、構成であれば良く、共振タグ１０ｂの貼付けも前述したように、共振領域（電界空間）が側面、平面的に縦横に拡大されるように形成できれば良く、任意であり、共振タグ１０ｂの貼付け位置、貼付け枚数も任意である。
【実施例５】
【０１３２】
次に、図１に基づいて、本実施例に係る二重床設置物の探知方法について具体的に説明する。
まず、二重床設置後において、図１、図１０、図１１、図１２、図１３に示すような各種形態の共振手段１０を、配線溝や配線通路、パネル下の所望位置に、その配線や配線器具類、例えば、コンセントやジョイント器具等の本体又はその近傍位置に位置決め固定する。これは、後で見つけ出す必要性のある配線器具類、又は、その近傍位置を検知するために設置するものである。そして、カバー板等を設置し、仕上げ材Ｔで覆う。これによって、二重床面上には検知するべき配線や配線器具類は完全に仕上げ材Ｔで覆われることとなり、外観上は見出すことはできない。（第１のステップ）。
【０１３３】
次に、図１に示すように、略モップ形状探知装置１を用いて、仕上げ材Ｔの目地を基準に、前記探知操作部５０を手で持って、アンテナ部３０を仕上げ材の幅Ｗに合せて仕上げ材単位で縦横に仕上げ材Ｔの上面に沿って走行させるように操作し、配線器具類を位置検出する探知動作を行う。前記アンテナ部３０と前記仕上げ材Ｔとの幅Ｗは、ほぼ共通する幅に設定されているので操作性は良い。この動作は、床面をモップ等で掃除するかのような動作が行われ、前記仕上げ材Ｔの縦列又は横列ずつ順次行うこととなる（図１の斜線部分）。これにより、床面上で検知動作の完了領域と、そうでない未完了領域とが明確に区画、区分可能となり、全面積の検知作業を効率的に処理することが可能となる（第２のステップ）。
【０１３４】
上記の検知作業において、前記アンテナ部３０が、設置された前記共振手段１０に近接すると、前記探知ユニット部４０により、前記アンテナ部３０を介して前記共振手段１０から受信して得られた共振受信信号に基づいて前記共振手段１０の設置位置を特定するべく、その特定位置を報知する（第３のステップ）。
【０１３５】
その時点で検知動作を止め、ほぼその報知された時のそのアンテナ部の床面位置が、対象とする設置された共振手段１０、共振タグ１０ｂの位置探知が行われたこととなる。即ち、その報知により、二重床内に設置されたコンセント等の配線器具類の位置が特定されたこととなる、
【０１３６】
上記第１、第２、第３のステップによる一連の探知方法により、二重床、フリーアクセスフロアの技術分野においては、従来方式とは全く異なる探知方法によって迅速、且つ、スムーズで容易な操作によって探知が可能となる。
【０１３７】
本実施例において記載した共振手段１０、共振タグ１０ｂ等は、この種の技術分野に近年利用されてきているＩＤタグ、ＲＦ−ＩＤ（Rａｄｉｏ Fｒｅｑｕｅｎｃｙ Iｄｅｎｔｉｆｉｃａｔｉｏｎ:無線周波数識別）タグ等を含み、これらを適宜、適用することも可能である。勿論、この場合、探知ユニット部はそれ相当に対応するものとなる。これにより、例えば、複数種類の配線、配線器具（電力、電話、情報）等を、多数の配線器具を一括して、種類毎、用途毎等に分けて探査することも可能となる。
【０１３８】
また、本実施例で適用した共振手段、共振タグの場合でも、例えば、共振周波数（ｆ１〜ｆｎ）を、複数の配線や配線器具に対応させて設定したものにすれば、上記の透り、種類毎、用途毎等に分けて探査することも可能となる。
【０１３９】
或いは，共振手段に、単一の共振周波数ｆ０であっても、予め異なる複数の振幅レベル（或いは面積）の共振信号を送受可能とするような仕様にすれば、対応する探知ユニット部によって、その異なる振幅レベル（或いは面積）のピーク値や平均値等を基準に検知すれば、その種別に応じた振幅レベル（或いは面積）に基づいて、上記と同様に、種類毎、用途毎等に分けて探査することも可能となる。
実施例の効果
【０１４０】
そして、上記本発明の実施形態における二重床設置物の探知装置及びその探知方法は、以下の主な効果を有する。
１  アンテナ部は、敷設された仕上げ材Ｔの単位サイズに基づいて設定された長さＷの略薄板長方形状に形成されているので、目地を基準に探知操作でき、探知領域が認識し易くなり、仕上げ材Ｔの敷設方向に沿って走行可能であり、探知操作時の操作性、探知精度、探知の信頼性が向上する。
２  探知ユニット部材４０は、前記アンテナ部３０上面の略中央部近傍に一体的に設けられているから、操作部５０の取り付け構造が簡単化でき、軽量化、重量配分により操作の安定化や取回しが容易になると共に、前記アンテナ部３０は、薄い長方形状の構造で、且つアンテナパターンとの接続線が最短となるので、これによって、混信、ノイズの影響を最小限にでき、感度も向上する。
３  従来の磁気探知システムに比べて、探知精度が向上し、安価な共振ラベルを探知物又はその近傍位置に貼付けて設けるだけで、低コストな探知システムを構築できる。
４  探知ユニット部４５を着脱自在に構成した場合は、手元で探知ユニット部４５で容易に操作でき、机下や机の間などの狭い領域では、離脱させて該探知ユニット部４５のみで手持ちで操作することも可能となるので、どんな狭い場所でも、その配線器具の設置状況に応じて対応することが可能となる。
５  アンテナ部３０は、アンテナパターン３０ｂを挟持するように同サイズの薄い樹脂板３０ａ、３０ｃでサンドイッチした３層構造としたので、アンテナパターン３０ｂを機械的、電気的にも保護することができるから、信頼性を向上させることができ、強度も向上する。
６  前記アンテナ部３０の底面には、仕上げ材Ｔに対して滑りをよくする略凸形状の突起３０ｄを多数所定間隔をあけて設けたので、仕上げ材Ｔのパイル等の引っかかりが殆どなくなり、スムーズで軽くなり操作性が向上する。
７  共振手段１０は、その基材を略Ｌ字形状にし、共振タグを貼付けたので、平面で縦横２方向に共振領域が広がり、探知感度を向上させることができる。
８  共振手段１０は、二重床構造により、金属製以外の場合、例えば、樹脂製の配線路カバー板、パネル等の場合、その裏面側に貼付け等により設けることもでき、共振タグの設置における制約を受けることがなく自由度がある。
【図面の簡単な説明】
【０１４１】
【図１】二重床設置物の探知装置装置本体１の全体構成、及び、共振手段１０の設置状態を示した斜視図である。
【図２】探知装置の探知ユニット部４０をアンテナ部３０ほぼ中央上面に設けた例を示した斜視図である。
【図３】探知装置１の探知ユニット部４０をアンテナ部３０の中央部上面に設けた例を示した斜視図である。
【図４】アンテナ部３０の積層断面図及びアンテナ部３０と探知ユニット４０との接続関係を示した断面図である。
【図５】探知装置１のアンテナ部３０底面のすべり用凸形状構造を示す斜視図である
【図６】探知装置１の探知ユニット４５が探知手段２０に着脱自在であり、ホルダー４２に装着された状態を示す図である。
【図７】探知装置１の探知ユニット４５が探知手段２０に着脱自在であり、ホルダー４２に離脱された状態を示す図である。
【図８】前記図６に対応する探知装置１の探知ユニット４５がホルダー４２に装着された場合の外部アンテナ部３０の接続状態を示した内部断面図である。
【図９】前記図７に対応する探知装置１の探知ユニット４５がホルダー４２から離脱された場合の内部アンテナ部３５の接続状態を示した内部断面図である。
【図１０】共振手段１０の基材形状の一例を示した斜視図である。
【図１１】共振手段１０の基材形状の他の例を示した斜視図である。
【図１２】配線溝型に二重床パネルにおける共振手段１０の多種多様な基材形状を示した斜視図である。
【図１３】配線通路形成型、支持脚分離型パネルにおける共振手段１０の多種多様な基材形状を示した斜視図である
【符号の説明】
【０１４２】
１    探知装置
１０  共振手段
１０ａ，１０ｃ，１０ｅ，１０ｆ，１０ｇ  基材
１０ｂ  共振タグ
２０  探知手段
３０  アンテナ部（第１アンテナ部）ＡＮＴ１
３５  内部アンテナ部（第２アンテナ部）ＡＮＴ２
４０  探知ユニット部
４２  ホルダー
４５  探知ユニット部
５０  探知操作部
５１  アンテナ線
６０  マウント部
【図１】
2005121446.tif 000003
【図２】
2005121446.tif 000004
【図３】
2005121446.tif 000005
【図４】
2005121446.tif 000006
【図５】
2005121446.tif 000007
【図６】
2005121446.tif 000008
【図７】
2005121446.tif 000009
【図８】
2005121446.tif 000010
【図９】
2005121446.tif 000011
【図１０】
2005121446.tif 000012
【図１１】
2005121446.tif 000013
【図１２】
2005121446.tif 000014
【図１３】
2005121446.tif 000015